(57)【要約】【課題】  使用者の複雑な操作を要せず、誰でも簡単に、安否情報を送信することができる識別情報供給装置を提供する。【解決手段】  安否情報を提供する情報提供装置１０と通信する通信部を有する携帯電話機２の拡張端子２ａに接続されるインターフェース部２１と、固有の識別情報が記憶されている記憶部２３と、インターフェース部２１を介して拡張端子２ａに接続されたことを検出し、記憶部２３に記憶されている識別情報を情報提供装置１０に送信する制御を行う制御部２２とを備える。【選択図】  図２
2006148476.tif 000002
【特許請求の範囲】
【請求項１】
安否情報を提供する情報提供装置と通信する通信部を有する携帯電話機の拡張端子に接続されるインターフェース部と、
固有の識別情報が記憶されている記憶部と、
上記インターフェース部を介して上記拡張端子に接続されたことを検出し、上記記憶部に記憶されている上記識別情報を上記通信部を介して上記情報提供装置に送信する制御を行う制御部とを備えることを特徴とする識別情報供給装置。
【請求項２】
安否情報を提供する情報提供装置と通信する通信部を有する携帯電話機の拡張端子に接続されるインターフェース部を介して上記拡張端子に接続されたことを検出し、固有の識別情報が記憶されている記憶部の上記識別情報を上記通信部を介して上記情報提供装置に送信する、少なくとも１つの識別情報供給装置と、
上記少なくとも１つの上記識別情報供給装置から受信される上記識別情報に基づいて安否情報を、予め上記識別情報に対応して登録された少なくとも１つのアドレスに送信する情報提供装置とを備えることを特徴とする安否情報提供システム。
【請求項３】
上記アドレスのうち少なくとも１つとして、全ての上記識別情報供給装置に共通のアドレスを含むことを特徴とする請求項２記載の安否情報提供システム。
【発明の詳細な説明】
【技術分野】
【０００１】
本発明は、携帯電話機を介して安否情報となる識別情報を供給する識別情報供給装置と、この識別情報を管理し所定のアドレスに安否情報を提供する安否情報提供システムに関する。
【背景技術】
【０００２】
従来より、地震、水害、火災等の災害が発生したとき、家族、友人等の安否とその所在地等の安否情報を、迅速に、かつ確実に入手したいという要望が強い。
【０００３】
このような安否情報は、関係者相互の電話連絡に頼るところが大きかった。また、こうした災害発生時に、インターネット技術を利用して、被害者の安否を確認するシステムがある。大学機関等では、こうした研究が進んでおり、例えば、安否確認センタを設置し、災害発生時に、インターネットへのアクセスが可能な携帯電話機やブラウザ搭載のパソコンを利用して、この安否確認センタに自己の安否情報を登録したり、被災者の家族、友人等がこの安否確認センタにアクセスして被災者の安否を確認することができるシステムが発表されている。
【０００４】
また、放送機関においても、消防機関に集められた安否情報を放送している場合もある。
【０００５】
【特許文献１】特開平９−１９８４０１号公報
【発明の開示】
【発明が解決しようとする課題】
【０００６】
ところで、こうした災害発生時には、急増する電話回線の使用によって各電話会社のシステムは、故障したり、故障を防ぐためにアクセスを制限するために通話ができない問題が発生していた。つまり、多くの災害発生時には、被災地域での音声による通話は困難となっていた。
【０００７】
また、上述のようなインターネットへのアクセスが可能な携帯電話機やブラウザ搭載のパソコンを利用して安否情報を登録する場合、携帯電話機等の操作に慣れた人しか行えなかった。
【０００８】
また、放送機関による安否情報の放送は、必要とする安否情報がその他多数の情報と混在しており、必要とする安否情報を確認するのに、時間と労力を要していた。
【０００９】
本発明は、上述の問題点に鑑み、災害発生時等において、使用者の複雑な操作を要せず、誰でも簡単に、安否情報を送信することができる識別情報供給装置及び安否情報提供システムを提供することを目的とする。
【課題を解決するための手段】
【００１０】
以上のような問題を解決するために、本発明に係る識別情報供給装置は、安否情報を提供する情報提供装置と通信する通信部を有する携帯電話機の拡張端子に接続されるインターフェース部と、固有の識別情報が記憶されている記憶部と、上記インターフェース部を介して上記拡張端子に接続されたことを検出し、上記記憶部に記憶されている上記識別情報を上記通信部を介して上記情報提供装置に送信する制御を行う制御部とを備える。
【００１１】
また、本発明に係る安否情報提供システムは、安否情報を提供する情報提供装置と通信する通信部を有する携帯電話機の拡張端子に接続されるインターフェース部を介して上記拡張端子に接続されたことを検出し、固有の識別情報が記憶されている記憶部の上記識別情報を上記通信部を介して上記情報提供装置に送信する、少なくとも１つの識別情報供給装置と、上記少なくとも１つの上記識別情報供給装置から受信される上記識別情報に基づいて安否情報を、予め上記識別情報に対応して登録された少なくとも１つのアドレスに送信する情報提供装置とを備えることを特徴とする。
【００１２】
また、上記アドレスのうち少なくとも１つとして、全ての上記識別情報供給装置に共通のアドレスを含むようにしてもよい。
【発明の効果】
【００１３】
本発明に係る識別情報供給装置は、インターフェース部を介して携帯電話機の拡張端子に接続されたことを検出し、記憶部に記憶されている識別情報を情報提供装置に送信するので、インターフェース部を介して携帯電話機の拡張端子に接続するだけで、複雑な操作手順を必要とせず誰でも、識別情報を送信することができ、安否を知らせることができる。
【００１４】
また、本発明に係る安否情報提供システムは、識別情報供給装置からの識別情報を受信すると、予め登録されている所定のアドレスに安否情報を送信することができ、簡単な操作で、特定の人に安否を知らせることができる。
【００１５】
さらに、本発明に係る安否情報提供システムは、アドレスを複数個登録することができ、少なくともその１つが、全ての識別情報供給装置に共通のアドレスが登録されているので、安否を知らせた人数等の集計を容易に行なうことができ、災害による人的被害の状況を把握することができる。
【発明を実施するための最良の形態】
【００１６】
以下、本発明に係る安否情報提供システムについて図面を参照して詳細に説明する。図１は、この安否情報提供システムの構成を示すブロック図である。
【００１７】
図１に示すように、安否情報提供システム１００は、安否情報を提供する安否情報提供装置１０と通信する通信部を有する携帯電話機２の拡張端子２ａに接続されるインターフェース部２１を介して拡張端子２ａに接続されたことを検出し、固有の識別情報が記憶されている記憶部２３の識別情報を安否情報提供装置１０に送信する識別情報供給装置２０と、識別情報供給装置２０から受信される識別情報に基づいて安否情報を、予め識別情報に対応して登録されたアドレスに送信する安否情報提供装置１０とを備える。
【００１８】
安否情報提供装置１０は、例えば消防等の公共団体により管理運営され、識別情報供給装置２０からの情報を受信することにより、予め登録されたアドレスに安否情報を含む電子メールを提供するシステムである。識別情報供給装置２０は、インターネット１と接続することができる携帯電話機２に装着することができ、内部に記録されている識別情報を安否情報提供装置１０に送信する。安否情報提供装置１０は、識別情報供給装置２０から送信された安否情報を、予め登録された安否情報送信先に提供する。
【００１９】
安否情報提供装置１０は、コンピュータ同士の電子的なネットワークであるインターネット１に接続されており、インターネット１を介して他のコンピュータに対して電子的に情報を提供したり、他のコンピュータ又は識別情報供給装置２０からの情報を受信したり、電子メールの送信及び受信を行う。具体的には、安否情報提供装置１０は、無線電話ネットワーク３を介してインターネット１に接続可能な携帯電話機４−１〜４−３、インターネット１と直接接続されたコンピュータ４−４等（以下、これらをまとめて情報端末４と称する。）に対して、識別情報供給装置２０からの情報の提供等をする。
【００２０】
なお、安否情報提供システム１００を利用できる者は、識別情報供給装置２０を使用している者、その識別情報供給装置２０の使用者が安否情報の送信先として指定した者、安否情報を得たいと所望する者等、なんらかの関係を有する全ての者が利用することができる。また、識別情報供給装置２０が装着される携帯電話機２は、情報を送信するのみならず、情報を受信場合などには情報端末４となることもある。
【００２１】
安否情報提供装置１０は、インターネット１を介して識別情報供給装置２０の使用者からの識別情報を受信しその識別情報を記憶するデータベース１１と、その識別情報から作成される安否情報を電子メール等により予めデータベース１１に登録された安否情報送信先のアドレスに配信する情報配信部１２とを備えている。
【００２２】
データベース１１は、識別情報供給装置２０から送信される識別情報と、識別情報供給装置２０からの識別情報に対応して記憶された安否情報送信先のアドレスとが記憶されている。このデータベース１１は、情報配信部１２による情報配信処理、送信される安否情報の集計等に利用される。
【００２３】
具体的に、データベース１１に記憶されるデータは、所定の登録作業を行うことにより登録され、識別情報供給装置２０から送信された使用者の氏名、その送信日時、及び、安否情報を送信する安否情報送信先のアドレス等のデータである。
【００２４】
なお、データベース１１に記憶されるデータは、上述に限らず、例えば、識別情報供給装置２０の使用者の氏名、年齢、生年月日、性別、住所等のあらゆる個人情報を含むものであってもよい。
【００２５】
また、データベース１１に記憶されるデータの安否情報を送信する安否情報送信先のアドレスは、複数箇所登録することができるようにしてもよい。さらに、全ての識別情報供給装置２０に共通の安否情報送信先のアドレスを登録するようにしてもよく、例えば共通のアドレスとして、消防機関を登録すると、消防機関において安否の確認できた人の把握が容易になる。
【００２６】
情報配信部１２は、識別情報供給装置２０から送信された安否情報を電子メール等によりインターネット１を介して、予め登録された安否情報送信先のアドレスに送信するものである。
【００２７】
続いて、安否情報提供システム１００で使用される識別情報供給装置２０について説明する。識別情報供給装置２０は、携帯電話機２にアダプタ装置として装着されるもので、図２に示すように、携帯電話機２の拡張端子２ａに接続されるインターフェース部２１を備え、このインターフェース部２１に接続された制御部２２、制御部２２に接続された記憶部２３、内部電源２４とからなる。
【００２８】
インターフェース部２１は、各社から販売されている各種携帯電話機の拡張端子に対応する構造となっている。
【００２９】
記憶部２３は、この識別情報供給装置２０固有の識別情報、例えばシリアル番号が記憶されており、この識別情報は、データベース１１に記憶された情報と一義的に対応している。
【００３０】
制御部２２は、インターフェース部２１を介して携帯電話機２の拡張端子２ａに接続されたことを検出すると、記憶部２３に記憶された識別情報を読み出し、携帯電話機２を介して、安否情報提供装置１０に自動送信する制御を行う。
【００３１】
識別情報供給装置２０は、内部電源２４としてボタン型電池を内蔵しており、内部電源２４により動作するが、内部電源２４を持たず、インターフェース部２１を介して携帯電話機２の拡張端子２ａから供給される電源により動作するようにする構造とすることもできる。
【００３２】
このような構成の識別情報供給装置２０は、インターフェース部２１を介して携帯電話機２の拡張端子２ａに接続されたことを検出して、記憶部２３に記憶されている識別情報を情報提供装置１０に送信するので、複雑な操作手順を必要とせず誰でも、インターフェース部２１を介して携帯電話機２の拡張端子２ａに接続するだけで、識別情報を送信することができ、安否を知らせることができる。
【００３３】
また、安否情報提供装置１０は、識別情報供給装置２０からの識別情報を受信すると、予め登録されている所定のアドレスに安否情報を送信することができ、簡単な操作で、特定の人に安否を知らせることができる。
【００３４】
また、安否情報提供装置１０は、所定のアドレスを複数個登録することができ、少なくともその１つが、全ての識別情報供給装置２０に共通のアドレスであるので、安否を知らせた人数等の集計を容易に行なうことができ、災害による人的被害の状況を把握することができる。
【００３５】
なお、安否情報提供装置１０のデータベース１１に記憶された情報は、予め所定の登録作業を行うことにより登録され記憶されることについて述べたが、コンピュータなどにより安否情報提供装置１０に直接アクセスし、使用者の個人情報の変更、修正等を行えるようにしてもよい。
【図面の簡単な説明】
【００３６】
【図１】本発明に係る安否情報提供システムの構成を示すブロック図である。
【図２】識別情報供給装置の構成例を示すブロック図である。
【符号の説明】
【００３７】
１  インターネット、２  携帯電話機、２ａ  拡張端子、３  無線電話ネットワーク、４  情報端末、１０  安否情報提供装置、１１  データベース、１２  情報配信部、２０  識別情報供給装置、２１  インターフェース部、２２  制御部、２３  記憶部、２４  内部電源、１００  安否情報提供システム、
【図１】
2006148476.tif 000003
【図２】
2006148476.tif 000004